(57)【特許請求の範囲】
【請求項１】
ロールの間にニップを形成する、２つの係合する逆回転ロールを含む装置であって、前記装置は、
ａ）ほぼ円筒形の第１ロールであって、前記第１ロールが表面、円周部、及び軸を有し、前記第１ロールが、
前記ロールの前記表面上の複数の円周方向の第１隆起部及び円周方向の第１溝であって、前記第１隆起部が上面を有し、前記第１溝が下面を有する、複数の円周方向の第１隆起部及び円周方向の第１溝と、
前記第１隆起部の前記上面から外側に延びる複数の離間した歯であって、それぞれの歯が前記上面から先端部にかけて先細になっており、前記第１隆起部の前記上面が前記歯の前記先端部と前記第１溝の前記下面との間に位置する、複数の離間した歯と、を含む、第１ロールと、
ｂ）ほぼ円筒形の第２ロールであって、前記第２ロールが複数の連続的な円周方向の第２隆起部及び第２溝を含む、第２ロールと、を含み、
前記歯の高さが１ｍｍ〜１２ｍｍであり、
前記第１ロールが前記第１隆起部の前記上面から歯の前記先端部まで測定されるクロスカット深さを含み、前記ニップが前記第１ロールと前記第２ロールとの間に係合深さを含み、前記係合深さが前記クロスカット深さより大きく、
前記第１隆起部が所定の高さを有し、前記高さが前記歯の高さの少なくとも２０％である、装置。
【請求項２】
前記ニップが前記第１ロールと前記第２ロールとの間に係合深さを含み、前記係合深さが３ｍｍ〜４ｍｍである、請求項１に記載の装置。
【請求項３】
前記第１ロールが横断方向の幅を含み、前記第１隆起部の前記上面と前記第１溝の前記下面との距離が、前記第１ロールの円周部周囲で及び横断方向の幅にわたって実質的に同じである、請求項１又は２に記載の装置。
【請求項４】
前記第１ロールが横断方向の幅を含み、前記第１隆起部の前記上面と前記第１溝の前記下面との距離が、前記第１ロールの円周部周囲で又は横断方向の幅にわたって異なる、請求項１又は２に記載の装置。
【請求項５】
前記歯に面が刻まれており、少なくとも４つ又は６つの側面を含む、請求項１〜４のいずれか一項に記載の装置。
【請求項６】
前記歯及び隆起部表面が接触する部分が、切頭、半切頭、非切頭、及びこれらの組み合わせからなる群から選択される形状を与えるように仕上げられている、請求項１〜５のいずれか一項に記載の装置。
【請求項７】
前記第１隆起部の前記上面が、アール形状、非アール形状、又はこれらの組み合わせからなる群から選択される、請求項１〜６のいずれか一項に記載の装置。
【請求項８】
前記第２ロールが、円周方向又は軸方向のいずれかで高さが異なる隆起部を有するリングロールである、請求項１〜７のいずれか一項に記載の装置。
【発明の詳細な説明】
【技術分野】
【０００１】
本発明は、開口ウェブ材料と、ウェブを開口及び伸張させてこのような材料を作製するための装置及び方法と、を目的とする。
【背景技術】
【０００２】
ウェブを開口、変形、及び／又は伸張させるための種々の方法及び装置を特許文献で開示する。回転刃開口等の開口方法では、機械横方向（「ＣＤ」）で望ましい幅を有する密集した開口部を有するウェブを作製することは困難である。開口部の列を密集して配置するために、非常に小さな夾角を有する起動歯を提供してもよい。しかしながら、この方法は、係合深さ（起動歯ロールと相手リングロールとの干渉）が大きくても、ＣＤで十分な開口部幅を有していない開口部が作製されるため、問題がある。得られる開口部は、多くの場合に機械方向で長くなり、スリット状の外観、小さな開口面積、及び使用時に引裂きの原因となる潜在的応力の集中をもたらす。スリット状の、開口面積が小さい、開口部の作製は、より強靭かつより耐引裂き性のウェブを使用する場合に特に問題がある。丸形又は先細の熱ピン開口は、一般的であるが、相手ロールに対してより高い重ね合わせ精度を要するという欠点を有し、典型的により大きな開口間隔をもたらす。丸形又は先細の熱ピン開口は、典型的により遅い線速度で作動される。
【０００３】
リングロール加工後に開口ウェブを伸張させることは可能であるが、次のリングロール伸張プロセスで開口部を整列させることはできないため、交互の開口部寸法の列が生じることがある。後のプロセスを使用して横断方向で機構を整列させることは、基材の拡散が変わり得るため、困難である。また、リングロール加工後は、ウェブが著しく脆弱化し、より引裂けやすくなることがある。
【発明の概要】
【発明が解決しようとする課題】
【０００４】
これまでに可能なものより大きなＣＤ幅を有する別個の密集した開口部を有するウェブを作製することが望ましい。機械横方向でより強く、したがって機械横方向で容易に引裂けない、開口ウェブの必要性がある。より大きく、より幅広く、より大きな開口部を有する開口ウェブを作製する方法の必要性がある。また、開口部が機械横方向で所望のより大きな幅を有するようにウェブを開口させ得る装置の必要性がある。
【０００５】
隆起部及び溝を有するウェブを作製するための多くの既知のプロセスが存在する（例えば、リングロール加工）。また、開口部を有するウェブを作製するための多くの既知のプロセスも存在する（例えば、熱ピン開口）。しかしながら、特定の開口部パターンに位置合わせされた交互の隆起部及び溝を有する波形ウェブを作製することは困難である。ミクロ開口部の形成後にリングロール加工を行うためのプロセスは存在するが、これは波形のない平坦なウェブを生じる。隆起部及び溝（平坦なストリップ）を有するウェブは、パターン化ベルト上での空気噴射又は水噴射により形成され得る。しかしながら、空気噴射又は水噴射は、本明細書に記載の本発明よりかなり遅いプロセスであり、より多くのエネルギーを要する。更に、隆起部は中空でなく、より多くの流体を保持し得る。
【０００６】
開口部がウェブ内の特定位置（例えば、溝又は隆起部）に配置された、交互の隆起部及び溝を有するウェブを作製することが望ましい。位置合わせされた波形パターンを有する開口ウェブの必要性がある。
【０００７】
これらが本発明のすべての目的であり、本明細書に記載の実施形態は、これらの目的の種々の組み合わせを実現し得る。特定の実施形態は、すべての目的を具現する必要はないが、すべての目的を具現し得る。
【課題を解決するための手段】
【０００８】
本発明は、開口（及び多くの場合に波形）ウェブ材料と、このような材料を作製するためにウェブを開口させる装置及び方法と、を目的とする。このような材料は、吸収性物品等の製品の部材（例えば、トップシート、バックシート、獲得層、液体処理層、及び吸収性コア等）、包装（例えば、フローラップ、収縮包装のフィルム、及びポリ袋等）、拭き取り用品、顔用ティッシュ、トイレットペーパー、ペーパータオル等として提供され得る。本発明の多数の非限定的な実施形態が存在する。
【０００９】
本発明は、間にニップを形成する２つの係合する形成構造を含む装置に関し、該装置は、第１形成構造であって、形成構造の表面上に複数の第１隆起部及び第１溝を含み、該第１隆起部は上面を有し、該第１溝は下面を有し、複数の離間した歯が該第１隆起部の上面から外側に延びており、それぞれの歯は開口部を形成でき、該第１隆起部の上面は該歯の先端部と該第１溝の下面との間に位置する、第１形成構造と、複数の連続的な第２隆起部及び第２溝を含む第２形成構造と、を含む。
【００１０】
本発明は、間にニップを形成する２つの係合する逆回転ロールを含む装置に更に関し、該装置は、ほぼ円筒形の第１ロールであって、該第１ロールは表面、円周部、及び軸を有し、該第１ロールはロールの表面上に複数の円周方向の第１隆起部及び円周方向の第１溝を含み、該第１隆起部は上面を有し、該第１溝は下面を有し、複数の離間した歯が該第１隆起部の上面から外側に延びており、それぞれの歯は上面から先端部にかけて先細になり、該第１隆起部の上面は該歯の先端部と該第１溝の下面との間に位置する、第１ロールと、ほぼ円筒形の第２ロールであって、該第２ロールは複数の連続的な円周方向の第２隆起部及び第２溝を含む、第２ロールと、を含む。
【００１１】
本発明は、装置を使用してウェブを変形するためのプロセスに更に関し、プロセスは、２つの係合ロールの間に形成されるニップに前駆体ウェブを供給する工程を含み、２つの係合ロールは、ａ）ほぼ円筒形の第１ロールであって、該第１ロールは表面、円周部、及び軸を有し、該第１ロールはロールの表面上でロールの円周部周囲に延在する複数の第１隆起部及び第１溝を含み、該第１隆起部は上面を有し、該第１溝は下面を有し、複数の離間した歯が該第１隆起部の上面から外側に延びており、該歯は先端部を有し、該第１隆起部の上面は該歯の先端部と該第１溝の下面との間に配置される、第１ロールと、ｂ）ほぼ円筒形の第２ロールであって、該第２ロールは複数の連続的な円周方向の隆起部及び溝を含み、該第２隆起部は上面を有し、該第２溝は下面を有する、第２ロールと、を含み、該ウェブが該ニップに供給されるとき、第１ロール上の隆起部の少なくともいくつかの頂部は、該第２ロール上の第２隆起部の少なくともいくつかの頂部を越えた深さまで該第２ロールの軸に向かって内側に延び、該ウェブは、（ｉ）複数の離間した第１位置で該歯により開口され、複数の離間した開口部を形成し、（ｉｉ）該係合ロールにより機械横方向で伸張される。
【図面の簡単な説明】
【００１２】
添付図面は、本発明の更なる理解をもたらすために含まれる。図面は、本明細書に記載の本発明を図示し、説明と共に請求対象を明確にするのに役立つ。
【図１】ウェブを変形させるための従来技術の対のリングロールの斜視図である。
【図２Ａ】ウェブを開口させるための従来技術の対のロール（回転刃開口（又は「ＲＫＡ」）ロール及びリングロール）の斜視図である。
【図２Ｂ】図２Ａに示される従来技術の対のロールの側面図である。
【図２Ｃ】図２Ａに示されるロール間のニップの拡大側面図である。
【図２Ｄ】図２Ａに示されるロールの使用により形成され得る代表的な従来技術のウェブの平面図である。
【図３Ａ】本明細書に記載の装置及びプロセスに使用するための対のロールの斜視図であり、一方のロールは千鳥状の「凸状隆起」ＲＫＡロールであり、他方のロールはリングロールである。
【図３Ｂ】図３Ａに示されるロール間のニップの拡大側面図である。
【図４Ａ】代表的な凸状隆起ＲＫＡロールの表面の一部の斜視図である。
【図４Ｂ】代表的なリングロールの表面の一部の斜視図である。
【図４Ｃ】代表的な凸状隆起ＳＥＬＦロールの表面の一部の斜視図である。
【図５Ａ】別の代表的な凸状隆起ＲＫＡロールの表面の一部の斜視図である。
【図５Ｂ】図５Ａに示される歯の配列の側面図である。
【図５Ｃ】図５Ａに示される歯の配列の端面図である。
【図５Ｄ】図５Ａに示される歯の配列の平面図である。
【図５Ｅ】図５Ｂに示される歯の配列の線Ｄ−Ｄに沿った断面図である。
【図５Ｆ】図５Ｂに示される歯の配列の線Ｅ−Ｅに沿った断面図である。
【図６Ａ】第１の代表的な歯群の正面図であり、歯は先細及び切頭にされている。
【図６Ｂ】第２の代表的な歯群の正面図であり、歯は先細及び半切頭にされている。
【図６Ｃ】第２の代表的な歯群の正面図であり、歯は先細及び非切頭にされている。
【図７】端面角γ及び隆起部仕上げを単一のヘリカル加工工程で達成できる、歯のパターンの概略図である。
【図８】代替の凸状隆起ＲＫＡロールの表面の一部の拡大側面図である。
【図９Ａ】図３Ａのロールの変化形を使用することによって形成され得る、ウェブの一実施例の平面図である。
【図９Ｂ】図９Ａに示される開口部の１つの拡大図である。
【図１０】３つのロールが遊星配列にある、ウェブを開口させるための装置の別の実施形態の側面図である。
【図１１】２５ｇｓｍのＰＥフィルムウェブの平面図である（フィルムは、高及び低坪量領域を示すために伸張／平坦化されている）。
【図１２】６０ｇｓｍのＰＰ不織布ウェブの平面図である（不織布は、高及び低坪量領域を示すために伸張／平坦化されている）。
【図１３】図１２に示されるウェブの断面図である。
【図１４】別の不織布ウェブの側面斜視図である。
【図１５】不織布ウェブの上面斜視図である。
【図１６】フィルムウェブの断面図である。
【図１７】実施例１に記載される開口フィルムウェブの平面図である。
【図１８Ａ】実施例１に記載される開口フィルムウェブの平面図である。
【図１８Ｂ】実施例１に記載される開口フィルムウェブの平面図である。
【図１９Ａ】実施例２に記載されるような開口不織布ウェブの上面斜視図である。
【図１９Ｂ】図１９Ａのウェブの底面斜視図である。
【発明を実施するための形態】
【００１３】
以下の本文は、本発明の多数の異なる実施形態の大まかな説明を記載している。この説明は、単に例示的なものとして解釈されるものであり、また、考えられるすべての実施形態を説明することは不可能でないとしても非実用的であるので、考えられるすべての実施形態を説明するものではない。本明細書に記載されるいずれかの特徴、特性、構成要素、組成物、成分、製品、工程、若しくは方法論は、削除することができ、本明細書に記載される他のいずれかの特徴、特性、構成要素、組成物、成分、製品、工程、若しくは方法論と組み合わせることができ、又は全体的若しくは部分的に置き換えることができることが理解されるであろう。最新の技術、又は本特許の出願日以降に開発された技術のいずれかを使用して、非常に多くの代替実施形態を実施することができるが、このような実施形態はやはり、本請求項の範囲内に含まれることになる。本明細書において引用する刊行物及び特許はすべて、本明細書に援用するものである。
【００１４】
また、「本明細書で使用するとき、用語『＿』は．．．を意味するようにここで定義される」という文又は同様な文を使用して本明細書において用語が明示的に定義されない限り、その平易又は通常の意味を超えて、明示的又は暗示的いずれかで、その用語の意味を制限する意図は全くないことを理解されたく、更に、当該用語は、（請求項の言語を除き）本特許のいずれの項においても記載のいずれの文に基づいて範囲を制限されると解釈されるべきではない。いずれの用語も、本発明に不可欠なものとして記載されていない限りは、本発明に不可欠なものではないことが意図される。本特許の最後にある請求項に記載されているいずれかの用語が、ある単一の意味と一致した形で本特許内で言及されている限りにおいては、読み手を混乱させないように、単に分かりやすくする目的だけのためにそうしているのであって、暗示又はその他の方法によって、請求項の当前記用語をその１つの意味に限定することは意図していない。最後に、請求項の要素が、いかなる構造の詳述も伴わずに、その語の「意味」及び機能を詳述することによって定義されるものでない限り、請求項の要素の範囲が、米国特許法第１１２条第６段落の適用に基づいて解釈されることは意図しない。
【００１５】
本発明は、機械横方向でより強く、したがって機械横方向で容易に引裂けない、開口ウェブを可能にする。機械横方向で所望のより大きな幅を有する別個の密集した開口部を有する開口ウェブを作製するためのプロセスについて記載する。プロセスは、開口部が溝に含まれる、交互の隆起部及び溝を有する構造も作成することができる。機械横方向で所望の、別個の、密集した、より大きな幅の開口部を有するウェブを開口させ得る装置についても記載する。
【００１６】
本明細書で使用するとき、用語「吸収性物品」は、生理用ナプキン、パンティライナー、タンポン、陰唇間装置、創傷包帯、おむつ、成人失禁用物品、拭き取り用品等の使い捨て物品を含む。更にまた、本明細書で開示されるプロセス及び装置によって製造される吸収性部材は、研磨パッド、ドライモップパッド（例えば、ＳＷＩＦＦＥＲ（登録商標）パッド）等の、他のウェブでの有用性を見出すことができる。かかる吸収性物品の少なくともいくつかは、月経又は血液、膣分泌物、尿、及び便等の体液の吸収を目的とする。拭き取り用品は、体液を吸収するために使用されてもよく、又は表面を洗浄する等、他の目的で使用されてもよい。上記の種々の吸収性物品は、典型的には、液体透過性トップシート、トップシートに接合される液体不透過性バックシート、及びトップシートとバックシートとの間の吸収性コアを含む。
【００１７】
本明細書で使用するとき、用語「吸収性部材」は、典型的に液体処理機能、例えば、液体獲得、液体分配、液体輸送、液体保存等の１つ以上を提供する、吸収性物品の構成要素を指す。吸収性部材が吸収性コアの構成要素からなる場合、吸収性部材は吸収性コア全体又は吸収性コアの一部のみからなることができる。
【００１８】
本明細書で使用するとき、用語「開口部」は、穴を指す。開口部の周囲の材料が、開口部の形成前にウェブと同一平面上にあるように、開口部がウェブを完全に突き抜けてもよく（「二次元」開口部）、あるいは、開口部の周囲の材料の少なくとも一部がウェブの平面から押し出される穴が形成されてもよい。後者の場合、開口部は「三次元」開口部に似ていることがある。三次元開口部は、一般に負荷をかけられてより大きな開口面積を保持する。本明細書で使用するとき、用語「開口された」は、複数の開口部を含むウェブを指す。
【００１９】
本明細書で使用するとき、吸収性物品の用語「構成要素」は、トップシート、獲得層、液体処理層、吸収性コアの吸収性コア又は層、バックシート、並びにバリア層及びバリアカフ等のバリア等の、吸収性物品の個別の構成要素を指す。
【００２０】
本明細書で使用するとき、用語「波形化」又は「波形」は、複数の概ね平行な交互の隆起部及び溝を含む三次元ウェブトポグラフィーを意味し、隆起部及び溝は（ウェブの断面を通って水平に引かれる）軸Ｘの周りで波形になる。隆起部及び溝は、軸の両側で同様に波形になってもよく、又は偏っていてもよい。
【００２１】
本明細書で使用するとき、用語「機械横方向」、「横断方向」、又は「ＣＤ」は、ウェブの平面内で機械方向に垂直な経路を意味する。
【００２２】
本明細書で使用するとき、用語「変形可能な材料」は、適用される応力又はひずみに反応してその形状又は密度を変更することができる材料である。
【００２３】
本明細書で使用するとき、用語「係合深さ」（「ＤＯＥ」）は、２つのロール間の係合の度合を意味する。第１ロール上の歯又は隆起部の最外先端部から第２ロール上の歯又は隆起部の最外先端部までの距離が測定される。用語「係合」又は「相互係合」は、本明細書で使用するとき、一方のロール上の歯／隆起部が他方のロールの表面に向かって延び、歯／隆起部の少なくともいくつかが他方のロールの表面上の歯／隆起部の先端部を通って描かれる仮想平面の間及び下に延びる部分を有するときの構成を指す。
【００２４】
本明細書で使用するとき、用語「別個の」は、独立であるか又は接続されていないことを意味する。用語「別個の」が凸状隆起ロール上の歯に対して使用されるとき、歯の遠位端（又は半径方向最外部）が、すべての方向（機械及び機械横方向を含む）において独立であるか又は接続されていないことを意味する（しかしながら、歯の基部は、例えばロールの同じ表面内に形成されていることがある）。例えば、リングロール上の隆起部は、別個であるとは見なされない。
【００２５】
本明細書で使用するとき、用語「使い捨て」は、洗濯される、ないしは別の方法で吸収性物品又は製品として復元若しくは再利用されることを意図しない、吸収性物品及び他の製品を説明する（すなわち、それらは、使用後に廃棄される、好ましくはリサイクルされる、堆肥化される、又はそうでなければ環境に適合する方法で処分されることを意図している）。
【００２６】
本明細書で使用するとき、用語「中空」は、本明細書に記載の装置及びプロセスにより製造されるウェブに存在する隆起部及び溝を説明し、隆起部及び溝は、ウェブ材料が存在しない空間を含む。例えば、ウェブは、隆起部、溝、及びウェブの断面を通って水平に引かれたＸ軸を含み、Ｘ軸より上で隆起部の頂部より下の領域は、中空であるか又は中空領域を含む。同様に、Ｘ軸より下で溝の底部より上の領域は、中空であるか又は中空領域を含む。
【００２７】
本明細書で使用するとき、用語「機械方向」又は「ＭＤ」は、ウェブ等の材料が製造プロセス中に通って進む経路を意味する。
【００２８】
本明細書で使用するとき、用語「巨視的」は、見る人の目とウェブとの間の垂直距離が約３０ｃｍ（１２インチ）である場合に、２０／２０の視力を有する人が容易に見ることができ、かつはっきりと識別できる、構造的特徴又は要素を指す。反対に、本明細書で使用するとき、用語「微視的」は、このような条件下で容易に見ることができず、かつはっきりと識別できない、このような特徴を指す。
【００２９】
本明細書で使用するとき、用語「リングロール」又は「リングロール加工」は、連続的隆起部及び溝の少なくとも一部を含有する、逆回転ロール、係合ベルト、又は係合プレートを備える、変形部材を使用したプロセスを指し、変形部材の係合隆起部（又は突起部）及び溝（又は凹部）は、それらの間に挿入されるウェブを係合し伸張させる。特に明記しない限り、リングロールは単体でウェブを開口しない。リングロールに関しては、隆起部及び溝の配向に応じて、機械横方向、機械方向、又は螺旋方向で／ＣＤ若しくはＭＤに対して角度をなして、ウェブを伸長させるように変形部材を配置することができる。一方向に関連する本明細書に記載の実施例は、方向を記載しなくてもよいと理解されるべきである。
【００３０】
本明細書で使用するとき、用語「回転刃開口」（ＲＫＡ）は、係合する変形部材（又はロール）を使用するプロセス及び装置を指し、１つ以上のロールは複数の歯を含む。歯は、米国特許出願公開第２００５／００６４１３６（Ａ１）号及び同第２００６／００８７０５３（Ａ１）号に開示されるように、開口ウェブ（又は場合によっては三次元開口ウェブ）を製造するために、ウェブを切断し、かつ変形させるように研がれてもよい。
【００３１】
用語「ＳＥＬＦ」又は「ＳＥＬＦ加工（SELF' ing）」は、Ｐｒｏｃｔｅｒ  ＆  Ｇａｍｂｌｅの技術を指し、ＳＥＬＦは、Ｓｔｒｕｃｔｕｒａｌ  Ｅｌａｓｔｉｃ  Ｌｉｋｅ  Ｆｉｌｍの略である。プロセス、装置、及びＳＥＬＦによって作製されるパターンは、米国特許第５，５１８，８０１号、同第５，６９１，０３５号、同第５，７２３，０８７号、同第５，８９１，５４４号、同第５，９１６，６６３号、同第６，０２７，４８３号、及び同第７，５２７，６１５（Ｂ２）号に図示及び記載されている。プロセスは、当初は開口部を作製せずに高分子フィルムを変形させる歯の形状を使用して開発されたが、前端及び後端に開口部を有するタフト（不織布の場合）又はテント（フィルムの場合）の形成に更に寄与する他の歯の形状が開発されている。ＳＥＬＦ加工を使用して不織布ウェブで開口部を有するタフトを形成するプロセスは、米国特許第７，６８２，６８６（Ｂ２）号に開示されている。
【００３２】
本明細書で使用するとき、用語「歯」は、ウェブを開口できるロールの表面上の任意の要素を指す。
【００３３】
Ｉ．開口ウェブ材料
用語「開口ウェブ材料」が本明細書で使用されるが、目的は、かかる開口ウェブ材料から吸収性物品のための吸収性部材（又は非吸収性部材）等の構成要素を作成することである。このような場合、開口ウェブ材料は、吸収性物品用の個々の構成要素（例えば、トップシート、バックシート、獲得層、吸収性コア等）に切断されるであろう。吸収性物品に使用されるウェブの場合、そのような新しい構造体には、ウェブの既定の部分で、改善された性質（改善された柔軟性、流体処理、又は他の性質等）を提供するものが含まれ得る。これらの開口ウェブは、包装用製品（例えば、フローラップ、収縮包装のフィルム、及びポリ袋等）、拭き取り用品、顔用ティッシュ、トイレットペーパー、ペーパータオル等の種々の他の構成要素を形成するように切断されてもよい。
【００３４】
現在の方法及び工具では作製できない、ＣＤ方向でより大きな幅を有する別個の密集した開口部を、ウェブ及びそれから形成される構成要素に提供することができる。新たな開口部は、従来技術により達成可能な同等の開口面積の開口部（図２Ｄ参照）と比べて、より大きな開口面積及びより小さな縦横比（開口部長さ：開口部幅）を備え、（フィルムの場合）向上したウェブ強度をもたらす。
【００３５】
更に、この新規技術で作製されるウェブは、独自の、よりテクスチャ加工された、外観を有する。テクスチャ加工ウェブは、交互の隆起部及び溝を含んでもよく、開口部は意図的に溝の内部に含まれる。開口ウェブが吸収性物品に使用されている場合、ウェブは、より良好な流体獲得、通気性、又は身体からの分離を提供することができ、したがってより乾いて清潔な感覚を促す。例えば、生理用ナプキンでは、溝に位置する開口部は、流体をトップシートから下の吸収性部材へ流して移動させるのに役立つ。開口部がこれらの利益を提供するだけでなく、最終ウェブに存在する任意の波形がこれらの利益を更に支持することもできる。例えば、波形は、通気性を向上させる、少なくとも部分的な身体との非接触部を提供し、より乾いた感覚をもたらし、皮膚を刺激する又は不快さを感じることがある、ぬれた／汚れた表面との接触をより少なくする。生理用ナプキンの場合、波形は、流体を生理用ナプキンに沿って長手方向に流し、流体を生理用ナプキンの側縁部から離して保持することができる。
【００３６】
開口されるウェブ（又は「前駆体ウェブ」）は、織布、不織布、フィルム、フラットフィルム、マイクロテクスチャ加工フィルム、上記の材料のいずれかの組み合わせ、又は積層体等、任意の好適な変形可能な材料を含むことができる。本明細書で使用するとき、用語「不織布ウェブ」は、個々の繊維又は糸が入り組んではいるものの、ランダムに配向された繊維を典型的には有しない織布又は編布におけるような繰り返しパターンとして入り組んではいない構造を有するウェブのことを指す。不織布ウェブは、熱接着点を含んでも、又は含まなくてもよい。これには、ティッシュ、ドライラップ、ライナーボード、濾紙、及びこれらの組み合わせ等の紙基材が挙げられる。不織布ウェブ又は布地は、例えば、メルトブロー、スパンボンド、水流交絡、風成、湿式、空気通過湿式製紙プロセス、及びカード熱接着を含む接着カードウェブプロセス等、多くのプロセスから形成されてきた。成形プロセスに応じて、不織布ウェブは、熱接着点を含んでも、又は含まなくてもよい。フィルム材料は、単一層、多層、エンボス加工、又はマイクロテクスチャ加工であってもよい。織布、不織布、フィルム、組み合わせ、又は積層体は、天然材料、合成材料、及びこれらの組み合わせが挙げられるがこれらに限定されない、任意の好適な材料から作られてもよい。好適な天然材料としては、セルロース、コットンリンター、バガス、羊毛繊維、シルク繊維が挙げられる。いくつかの実施形態において、ウェブ材料は、セルロースを実質的に含まず、及び／又は紙材料を含まない場合がある。他の実施形態では、本明細書に記載のプロセスは、セルロースを含む前駆体材料に対して行われてもよい。好適な合成材料としては、レーヨン及びポリマー材料が挙げられるがこれらに限定されない。好適なポリマー材料としては、ポリエチレン（ＰＥ）（例えば、線状低密度ポリエチレン（ＬＬＤＰＥ）、低密度ポリエチレン（ＬＤＰＥ）、高密度ポリエチレン（ＨＤＰＥ）等）、ポリエステル、ポリエチレンテレフタレート（ＰＥＴ）、及びポリプロピレン（ＰＰ）が挙げられるが、これらに限定されない。上記の材料のいずれも、使用済み再生材料を含み得る。本明細書に記載の装置は、広範囲の材料及びより低コストの材料を使用して作動する。例えば、ある装置は、異なる化学的及び機械的特性を有する汎用スパンボンド不織布の多層を使用し、種々の繊維配合及び組成を有する２つ以上の層の不織布、又はフィルムの相互混合の度合を制御することができる。更に、本装置は、直接オンラインで作動することができる（かつロールの圧縮／保管のためにロフトを失わない）。
【００３７】
種々のポリマーを使用して、目的とするウェブを作製することができる。潜在的材料には、生物由来ポリエチレン（ｂｉｏ−ＰＥ）、生物由来ポリプロピレン（ｂｉｏ−ＰＰ）、生物由来ポリエチレンテレフタレート（ｂｉｏ−ＰＥＴ）、及び生物由来ポリ（エチレン−２，５−フランジカルボキシレート）（ｂｉｏ−ＰＥＦ）等の非石油源から作製されるバイオポリマーが挙げられる。これらの材料は、少なくとも１つの再生可能資源に部分的又は完全に由来してもよく、再生可能資源とは、１００年間の期間内に補充することができる天然資源を指す。再生可能資源には、植物、動物、魚類、細菌、菌類、及び林産物が挙げられ、自然発生、混成、又は遺伝子組み換えされた生命体であってもよい。形成するのに１００年より長くかかる原油、石炭、及び泥炭等の天然資源は、再生可能資源とは見なされない。非石油源に由来する他のポリマーには、デンプンベースのポリマー及びセルロース誘導体が挙げられる。加えて、使用済みリグラインドｒ−ＨＤＰＥ、ｒ−ＬＬＤＰＥ、ｒ−ＬＤＰＥ、ｒ−ＰＥＴ、ｒ−ＰＥＦ、又はｒ−ＰＰ等の再利用樹脂を、１００％で、又は様々な樹脂との混合で使用することができる。再生可能資源及び再利用樹脂に由来するポリマーを、そのままで、又は費用を制御するために石油ベースのポリマーに様々なレベルで混合して、使用することができる。供給源、及び非石油源からポリマーを製造する方法は、米国特許第８，０６３，０６４（Ｂ１）号及び米国特許出願公開第２０１１／０３１９８４９（Ａ１）号に見出すことができる。
【００３８】
本発明は、開口ウェブ材料と、従来技術の１つ以上の欠点を克服するこのような材料を作製するためにウェブを開口及び伸張させる装置及びプロセスと、を目的とする。ウェブの伸張（又は伸長）は、ウェブの全体的な坪量の減少によるコスト低下を可能にするため、有益である。同じ工程段階で開口後に伸張することにより、より幅広く、より好ましい開口部がウェブ材料に作製される。ここでは、歯がまだ材料を貫通している間に伸張が行われるように、したがって開口部を伸張時に圧潰させないように、単一操作で位置が合った状態で開口及び伸張が行われる。追加の伸張工程は、開口部をより幅広くできるだけでなく、波形の外観を有するウェブを作製する潜在性も有する。このような開口後に伸張するという組み合わせは、正確に位置合わせされなければならない。開口及び伸張が従来技術のように別個の工程である場合、開口部が伸張リングロールと位置合わせされずに、開口部が閉じる恐れがある。また、この新規プロセスで作製されるウェブは、より柔軟で、伸張工程（弛緩した及び／又は薄くなった繊維及び／又はフィルム）由来のひだを付けることができる。より薄いウェブは、ウェブが保持できる流体がより少ないため、一般的に望ましい。このことは、ウェブが吸収性物品用のトップシートとして使用される場合に、トップシート内の飽和がより少ないため、重要である。
【００３９】
１つの非限定的な実施形態において、開口ウェブ材料は、内部に形成された別個の開口部を有するウェブを含む。ウェブは、第１表面と、第１表面と反対側の第２表面とを有する。ウェブは、複数の別個の開口部を取り囲む、実質的に非開口の領域（すなわち、ランド）を含む。
【００４０】
開口部は、比較的小さな面積内に密集している。例えば、開口部間の任意の方向での中心間隔は、約２０ｍｍ、１０ｍｍ、５ｍｍ、３ｍｍ、２ｍｍ、１ｍｍ、又は０．５ｍｍ以下であってもよい。６４５ｍｍ２（１平方インチ）の面積内の開口部の総数は、４、２５、１００、２５０、５００、１０００、又は３０００以上であってもよい。２５．４ｍｍ（１インチ）平方面積内の開口部の数は、先細ペン又はマーカーにより、２５．４ｍｍ（１インチ）×２．５４ｃｍ（１インチ）の正方形の領域を材料上にマーキングし、２５．４ｍｍ（１インチ）の正方形の境界内及び境界上に完全に又は一部が位置する、第１、第２、第３．．．開口部の数を数えることにより判定され得る。低電力顕微鏡又は他の拡大補助具が、必要により材料内の開口部の視認性を補助するために使用され得る。開口部は、任意の好適な形状であってもよい。
【００４１】
開口部は、任意の好適な寸法であってもよい。典型的には、開口部は巨視的であるであろう。開口部の平面視面積は、約０．５ｍｍ２、１ｍｍ２、５ｍｍ２、１０ｍｍ２、又は１５ｍｍ２以上であってもよい。本明細書に記載のプロセスは、０．５ｍｍ２未満の平面視面積を有する微視的な開口部を作製するためにも使用され得る。
【００４２】
開口部に加えて、ウェブは交互の隆起部及び溝を含んでもよく、開口部は溝に配置される。隆起部は、連続的に延在してもよく、又はウェブの変形領域で不連続の隆起部を形成してもよい。溝は、溝の内部に一定間隔で離間配置された開口部を伴って連続的に延在してもよい。ウェブを裏返した場合、溝は隆起部になり、隆起部は溝になって、開口部は今度は隆起部に位置するであろうことに留意されたい。開口部は、プロセス及び材料のパラメータに応じて、２次元又は３次元であってもよい。３次元の開口部の場合、開口部の基部は、隆起部の反対方向に延びるであろう。隆起部の側部及び溝の側部は、隆起部の頂部及び溝の底部よりｚ方向に配向される。
【００４３】
フィルムの場合、隆起部の側部及び溝の側部は、伸張プロセスの結果として隆起部の頂部及び溝の底部より薄くなり、小さな坪量を有し得る。これにより、厚さ及び坪量が大きい領域と厚さ及び坪量が小さい領域とが交互にあるウェブが生じ、厚さ及び坪量が大きい領域は隆起部の頂部及び溝の底部に位置し、厚さ及び坪量が小さい領域は中間の側壁に位置する。交互の坪量は、快適さのための薄型／可撓性の領域と、強度のための厚さの維持とをもたらす。
【００４４】
不織布の場合も、伸張領域で坪量が減少し、同様に坪量が大きい領域と小さい領域とが交互にあるウェブを生じ、坪量が大きい領域は隆起部の頂部及び溝の底部に位置し、坪量が小さい領域は中間の側壁に位置する。不織布の場合、繊維がほどけて互いから離れる方向に移動し得るため、ウェブ厚さは伸張領域で減少しないことがある。ただし、一部の個々の繊維の厚さは、伸張の結果として減少し、元の繊維直径の４０％〜８０％に及ぶ繊維直径になることがある。隆起部の頂部での平均繊維直径及び溝の底部での平均繊維直径は、側壁での平均繊維直径より大きくなり得る。隆起部及び溝で歯止めされる限り、基材のウェブ厚さは大きく異ならない。ウェブはテクスチャ加工されるが、隆起部及び溝は平面から変形されているため、隆起部及び溝が充填されずに、むしろ中空領域を形成するとき、隆起部及び溝での局所的なウェブ厚さは大きく異ならない。中空の隆起部は、充填された隆起部ほど多くの流体を保持できず、吸収性物品でトップシートとして使用されるとき、乾燥の利益を提供することができる。伸張の結果として、ウェブは伸張方向に永久的に伸長する。適切には、伸張領域でのウェブ厚さは、元のウェブ厚さの２０％〜８０％である。
【００４５】
ＩＩ．ウェブ材料を変形させるための従来技術の装置
従来技術の方法は、特に強靭な又は耐引裂き性のフィルムを使用して、機械横方向でより幅広の寸法を有する開口部を作製することに適していない。したがって、従来技術の方法で得られる機械横方向での寸法より大きな寸法を有する開口部をウェブ材料で得るために、同じ工程段階で（すなわち、同じニップ内で、開口歯がまだウェブを貫通している間に）開口後に伸張することができるプロセスを設計することが望ましい。従来技術の方法は、本明細書に記載されるような高速の開口及び伸張手段を使用して、開口部が溝に位置する交互の隆起部及び溝を有するウェブを作製することにも適していない。
【００４６】
図１は、第１の従来技術の装置１０を示しており、ロール１２及び１４は本明細書ではリングロールと称される。ロール１２、１４は、本明細書において示され記載される他の装置のロールの場合において、平行な関係で配置された回転軸Ａを有する対応する回転シャフト上に位置する。本明細書に記載されるすべての実施形態において、ロールは、非接触であり、かつ軸方向に駆動される。本実施形態では、ロールの表面は、ロールの円周部周囲に延在する、複数の交互の溝１６及び隆起部１８を有する。他の実施形態では、隆起部及び溝は、ロールの軸Ａに平行して延在してもよい。かかるロールの１つ以上が、本明細書に記載される装置の種々の実施形態で使用され得る。
【００４７】
図１に示される実施形態、及び本明細書に記載される種々の他の実施形態では、ロールは、係合しているか、又は少なくとも部分的に係合している。図１に示されるように、ロールは典型的に反対方向に回転する（つまり、ロールは逆回転する）。これはまた、本明細書に記載される他の実施形態にも当てはまる。
【００４８】
図２Ａ〜２Ｃは、第２の従来技術の装置２０を示しており、上ロール２２は回転刃開口（又は「ＲＫＡ」）ロールであり、下ロール２４は本明細書ではリングロールと称される。装置は一対の逆回転する係合ロールを含み、上ロール２２は４つ以上の側面を有する角錐歯３０を含み、側面は実質的に三角形であり、基部から先端部に向けて先細になっており、下ロール２４は円周方向に延在する溝２６及び隆起部２８を含む。歯３０は、間に溝を有する離間した円周方向の列に配置される。歯３０は、基部において上ロール２２から延び、歯の基部は、横断面幅寸法よりも大きい横断面長さ寸法を有する。典型的には、開口部は、ＲＫＡロール２２上の歯３０がリングロール２４上の溝２６と係合する際にウェブ材料に形成される。歯の高さ、歯の間隔、ピッチ、係合深さ、及び他の製造パラメータに関しては、ＲＫＡ及びＲＫＡ装置は、米国特許出願公開第２００６／００８７０５３（Ａ１）号に記載されているものと同じであってもよい。
【００４９】
図２Ａに示されるＲＫＡロール２２は、（標準的に対して）千鳥状の歯のパターンを備える。本明細書で使用するとき、用語「千鳥状」は、隣接する歯がＣＤで列に並ばないことを意味する。本明細書で使用するとき、用語「標準的」は、隣接する歯がＣＤで列に並び、したがって千鳥状でないことを意味する。図２Ｃに示されるように、ロール２２及び２４は、ＲＫＡロール２２上の歯３０がリングロール２４上の溝２６と揃うように機械横方向に並べられる。歯３０がウェブを貫通するとき、相手リングロール上の隆起部２８は、歯３０がウェブを貫通すると同時に反対方向で開口部を形成できるようにウェブを支持する。
【００５０】
図２Ｄは、図２Ａ〜２Ｃに示されるような装置で製造され得る、代表的な従来技術のウェブ３４の平面図を示す。得られるウェブ３４は、開口部３８を取り囲むランド３６を含む。図２Ａ〜２Ｃのような従来技術の装置で形成される開口部３８は、機械方向での長さＬと機械横方向での幅Ｗとを備える。これらの開口部は、特により強靭かつより復元性のウェブでは、典型的にスリット状であり、長さＬよりかなり小さな幅Ｗを有する。
【００５１】
ＩＩＩ．ウェブ材料を開口させるために凸状隆起部から延びる歯を備えたロールを使用する装置及びプロセス
一般に、装置は、間にニップを形成する２つの係合する形成構造を含む。形成構造は、ローラー、プレート、ベルト、スリーブ、ウェブにテクスチャを付与できる他の構造、又はこれらの組み合わせを含み得る。第１形成構造は、形成構造の表面上に複数の第１隆起部及び第１溝を含み、該第１隆起部は上面を有し、該第１溝は下面を有する。第１形成構造は、該第１隆起部の上面から外側に延びる複数の離間した歯を更に含み、それぞれの歯は、開口部を形成することができ、該第１隆起部の上面は、該歯の先端部と該第１溝の下面との間に位置する。第２形成構造は、複数の連続的な第２隆起部及び第２溝を含む。
【００５２】
より具体的には、装置は、間に単一のニップＮを形成する、一対の逆回転する係合ロールを含む。装置は、便宜上、主にロールに関して本明細書に記載されるが、説明は、任意の好適な形成部材の種類を含み得る任意の好適な装置に当てはまるであろうことは理解されるべきであり、これらの形成部材には、対のロール、対のプレート、パック（又は小型プレート）を有するコンベヤー、ベルト、又はこれらの組み合わせが挙げられるが、これらに限定されない。第１ロール及び第２ロールは、複数の円周方向に延在する隆起部及び溝を備えた表面１０６、１０８をそれぞれ含む。あるいは、隆起部及び溝は、同じ方向に延在する隆起部及び溝を有するロールと噛み合う限り、ロールの軸に平行な方向に延在してもよい。第１ロールは、複数の離間した歯を更に含み、歯は隆起部の上面から外側に延びている。これにより「凸状隆起部」が生じる。第２ロールの隆起部は、第１ロール上の隆起部の少なくともいくつかの頂部を越える深さまで第１ロールの軸に向かって延びる。このように、歯の初期の係合が開口部を作製し、係合が凸状隆起部の下の深さまで進むと、次に開口部が機械横方向に伸張される。１つの工程段階で、最初に開口し、次に歯がまだウェブを貫通している間に伸張することにより、得られる開口部は、上記の図２Ａ〜２Ｄに示されるような標準的な歯付ロールで作製される開口部より機械横方向で大きな幅を有する。
【００５３】
本発明の開口部は、特により強靭なフィルム（例えば、高濃度のＬＬＤＰＥを含むもの）を使用するとき、従来技術の開口部より小さな縦横比（開口部長さ：開口部幅）と、かなり大きな開口面積とを備える。新規の歯の形状は、より低い工具温度で開口面積を大きくするのに役立ち、従来の歯の形状では開口できないウェブに開口部を形成することができる。新規の工具形状は、より低温（例えば、３５〜７０℃）で、又は装置の加熱を必要とせずに周囲温度でも、ウェブを開口させる能力を備える。更に、従来の工具に対してこの工具の作製に伴うコストは、とりわけより少量の金属が除去されるため、最小限から低くなる。したがって、室温の前駆体ウェブを使用することができる。一実施形態では、前駆体ウェブ及び係合ロールは加熱されない。あるいは、全体的に予熱されたウェブを使用してもよい。あるいは、ウェブの区画化した予熱により、一部の区画では開口部が生じ、他の区画では一時的変化が生じてもよい。予熱は、（係合前に可能な種々の巻き付け時間で）係合前にＲＫＡロールに巻き付けることにより、又は係合前にリングロールに巻き付けることにより、達成され得る。同様に、加熱又は非加熱の工具を使用してもよい。適切には、ウェブは、５０〜２００℃、又は５０〜１００℃に加熱されたＲＫＡロールに巻き付けることにより加熱される。ＲＫＡロール及びリングロールは、同じ最外面速度で駆動されてもよく、又は２ロール間で異なる速度が存在してもよい。
【００５４】
以下の図は、特定のロール構成及びこれにより形成され得る開口ウェブ材料の非限定的な実施例を示す。これらの装置は、（例えば、２つだけの係合ロールの単純な機械プロセスであるため）単一のニップを使用し、従来技術の開口及び伸張方法より高速の処理速度で、場合によっては加熱されず、安価に作動することができる。
【００５５】
図３Ａ及び３Ｂは、間に単一のニップＮを形成する一対の逆回転する係合ロール１０２、１０４を含む、本発明の代表的な装置１００を示す。第１（上）ロール１０２は、図２Ａに示されるＲＫＡロールの変化形である。この特定の変化形は、本明細書で「凸状隆起ＲＫＡロール」と称される。図３Ａ及び３Ｂに示される装置１００の第２（下）ロール１０４は、リングロールである。
【００５６】
図４Ａに示されるように、第１ロール１０２は、複数の溝１１０及び隆起部１２０、並びに隆起部１２０の上面１２２から外側に延びる複数の千鳥状の離間した歯１３０を含む。ロール１０４の構成は、隆起部１２０の上面１２２が、方向的にロールの軸Ａに対して、歯１３０の先端部１３４と溝１１０の下面１１２との間に配置されるようなものである。図４Ｂに示されるように、第２ロール１０４は、複数の溝１４０及び隆起部１５０を含む。溝１４０は下面１４２を有し、隆起部１５０は上面１５２を有する。ここでは、隆起部１５０の上面１５２と溝１４０の下面１４２との距離は、ロールの円周部周囲で実質的に同一である。図４Ｃは、別の第２ロール１０４Ｂであり、凸状隆起千鳥状ＣＤ  ＳＥＬＦロールの形態である。ロール１０４Ｂの構成は、隆起部１２０の上面１２２が、方向的にロールの軸Ａに対して、歯１３０の先端部１３４と溝１１０の下面１１２との間に配置されるようなものである。図３Ａ及び３Ｂに戻ると、第１ロール１０２の歯１３０及び隆起部１２０は、第２ロール１０４の軸Ａに向かって延び、第２ロール１０４上の隆起部１５０の少なくともいくつかの上面１５２を越える深さまで係合する。
【００５７】
このプロセスに好適な歯は、ウェブの開口に寄与する必要がある。ロール上の歯は、任意の好適な構成を有してもよい。所与の歯は、同じ平面視長さ及び幅寸法を有し得る（円形又は正方形の平面視を有する歯等）。あるいは、歯は、その幅よりも大きい長さを有してもよく（矩形の平面視を有する歯等）、その場合、歯は、その幅に対するその長さの任意の好適な縦横比を有し得る。歯に好適な構成としては、三角形の側面、正方形又は矩形の側面、円柱形、角錐形を有する歯、円形、楕円形、砂時計形状、星形状、多角形等の平面構成を有する歯、及びこれらの組み合わせが挙げられるが、これらに限定されない。多角形形状としては、矩形、三角形、五角形、六角形、又は台形が挙げられるが、これらに限定されない。歯の側壁は、基部から先端部にかけて一定の角度で先細になっていてもよく、又は角度が変化してもよい。歯は、図４Ａに示される歯のように、歯の先端の一点に向かって先細になっていてもよい。歯は、丸形の、平坦な、又はとがった先を形成する、先端部を有することができる。あるいは、歯は、図４Ｃに示されるＳＥＬＦ歯のように、多点の細長い歯の先端部に向かって先細になっていてもよい。ただし、歯の先端部は、歯の少なくとも１つの垂直壁（例えば、図４Ｃに示されるような歯の前端及び後端での垂直壁）を有するとがった頂点を形成する必要があり、したがって歯はウェブを開口又は穿刺する。図４Ｃに示される歯の場合、各歯は、各歯の前端に１つ、後端に１つの、２つの開口部を形成してもよい。
【００５８】
図５Ａ〜Ｆに示される代表的な一実施形態では、第１ロール１０２は、隆起部１２０の上面１２２から外側に延びる複数の角錐形の歯１３０を含む。図５Ａは、別の代表的な凸状隆起ＲＫＡロールの表面の一部の斜視図である。図５Ｂは、図５Ａに示される歯の配列の側面図、図５Ｃは端面図、及び図５Ｄは平面図である。図５Ｅは、図５Ｂに示される歯の配列の線Ｄ−Ｄに沿った断面図である。図５Ｆは、図５Ｂに示される歯の配列の線Ｅ−Ｅに沿った断面図である。図５Ｅに示される歯の断面積Ａｔは、図５Ｆに示される歯の断面積Ａｔｂより小さい。側面（例えば、図５Ｅに示される１３０ａ〜１３０ｆ）は、実質的に三角形であり、先端部１３４から基部１３２にかけて一定の角度で先細になっている。側面の数は、４（例えば、図４Ａ）、６（例えば、図５Ａ〜６Ｃ）、又は他の１２以下の数であってもよい。歯１３０は、間に溝１１０を有する離間した円周方向の列に配置される。ＭＤの歯の先端部間隔ＳＭＤは、０．４ｍｍ〜１５ｍｍ（又は３ｍｍ〜８ｍｍ）である。ＣＤのピッチＰは、０．４ｍｍ〜１０ｍｍ（又は１ｍｍ〜３ｍｍ）である。歯は、夾角αが３０〜９０°（又は４５〜６５°）、歯の長側面（例えば、１３０ｃ、１３０ｆ）での側壁角βが３〜１５°、歯の前端及び後端の端面夾角γ（例えば、側面１３０ａと１３０ｂとの角度、又は側面１３０ｄと１３０ｅとの角度）が４５〜１２０°（又は６０〜９０°）である。場合によっては、ヘリカル研削による歯の作製時に、ＭＤ及びＣＤの歯の間隔、千鳥配置、及び端面夾角γを選択する。
【００５９】
歯１３０及び隆起部表面１２２が接触する部分１３６を仕上げるには異なる方法があり、例えば、各側面の先細部分を平面で切断する、切頭（図６Ａ）、少なくとも１つの側面の先細部分を弧で切断する、半切頭（図６Ｂ）、又は各側面の先細部分をいずれの方法でも切断しない、非切頭（図６Ｃ）が挙げられる。図６Ａに示される歯１３０は、先端部１３４から基部１３２に向けて先細になり、切頭された下部１３６を有する。先細及び／又は切頭は、異なる度合で行われてもよい。歯の切頭された先細部分は、歯の製造を容易にする。この場合、図７を参照すると、端面角γ及び隆起部仕上げは、円周方向ＤＣで工具を回転しながら同時に工具の軸方向で加工を進めることにより、製作活動で周知であるような単一のヘリカル加工工程で実現され得る。歯１３０の端面は、加工経路ＭＰに従って作製されるであろう。したがって、歯の千鳥配置ＴＳに対して、端面夾角γは、２×逆タンジェント（ＣＤの歯のピッチ「Ｐ」／歯の千鳥配置「ＴＳ」）として生成される。
【００６０】
歯１３０間の隆起部の上面１２２は、異なる方法で仕上げられてもよい。例えば、表面１２２は、アールが形成されても、又は形成されなくてもよい。アール面は、特にフィルムの場合、形成時に引裂けないようにウェブを保護するであろうが、非アール面（例えば、図６Ａ〜６Ｃに示される表面１２２）はより安価であり得る。
【００６１】
凸状隆起ＲＫＡロール１０２の構成は、隆起部１２０の上面１２２が、方向的にロール１０２の軸Ａに対して、歯１３０の先端部１３４と溝１１０の下面１１２との間に配置されるようなものである。歯の高さｈｔは、歯１３０の先端部１３４と溝１１０の下面１１２との間の距離として画定される。歯の高さｈｔは、１ｍｍ〜１２ｍｍ、又は２ｍｍ〜８ｍｍ、又は３ｍｍ〜６ｍｍである。隆起部の高さｈｒは、歯の高さの少なくとも２０％、典型的には２０％〜９５％である。クロスカット深さｄｃｃは、歯１３０の先端部１３４と隆起部１２０の上面１２２との距離として画定される。本実施形態では、歯１３０の先端部１３４と隆起部１２０の上面１２２との距離は、ロールの円周部周囲で実質的に同一である。クロスカット深さｄｃｃは、開口部の形成に必要な変形量によって決まる。例えば、クロスカット深さｄｃｃは、０．２ｍｍ〜９ｍｍ、又は１．０ｍｍ〜４．０ｍｍ、又は２．０ｍｍ〜３．５ｍｍの範囲内であってもよい。（同じＤＯＥで）クロスカット深さｄｃｃが小さいと、開口の大きい開口部が作製される。対のロール１０２、１０４の係合深さは、クロスカット深さｄｃｃより大きくなければならない。好適には、係合深さは、クロスカット深さより少なくとも０．１ｍｍ、又は０．３ｍｍ大きい。ニップＮでのＤＯＥは、０．５ｍｍ〜１０ｍｍ、又は３ｍｍ〜７ｍｍ、又は３ｍｍ〜４ｍｍである。
【００６２】
隆起部の高さｈｒは、隆起部１２０の上面１２２と溝１１０の下面１１２との距離として画定される。図３Ｂ及び４Ａに示されるような、いくつかの実施形態では、第１ロール１０２は、横断方向の幅を有し、隆起部１２０の上面１２２と溝１１０の下面１１２との距離は、ロール１０２の円周部周囲で及びＣＤ幅にわたって実質的に同じである。あるいは、第１隆起部の上面と第２溝の下面との間の距離は、第１ロールの円周部周囲で又はＣＤ幅にわたって異なってもよい。凸状隆起ロールの種々の代替の実施形態が可能である。例えば、図８のロール１６２で示されるように、隆起部の高さｈｒは、歯１６８の少なくともいくつかの間で変化してもよい。隆起部の高さｈｒは、所望の開口部の形成に必要な変形量によって決まる。一対の歯１６８の間の少なくとも１つの隆起部１６４の上面１６６は、別の対の歯１６８の間の別の隆起部１６４の高さｈｒ２よりも少なくとも１０％、２０％、又は３０％大きい、高さｈｒ１を有するであろう。このロール１６２は、凸状隆起ＲＫＡロール１０２の代わりに、図３Ａに示されるようなプロセスで使用され得る。第２ロールは、円周又は軸方向のいずれかで高さが異なる隆起部を有するリングロールであってもよい。
【００６３】
図９Ａは、図３Ａに示される装置、すなわち、上ロール１０２用の千鳥状の歯のパターンを有するＲＫＡ凸状隆起ロールと、下ロール１０４用のリングロールとにより製造され得るウェブ１７０の実施例を示す。ロール１０２及び１０４は、第１ロール１０２上の歯１３０が第２ロール１０４上の溝１４０と揃うように機械横方向に並べられる。第１ロール１０２上の歯１３０がウェブ１７０を貫通するとき、第２ロール１０４上の隆起部１５０が機械横方向にウェブ１７０を伸張できるように、ＲＫＡ凸状隆起ロール１０２上の歯１３０間の隆起部１２０がウェブ１７０を支持する。
【００６４】
ウェブは、その初期状態では、比較的平坦であり、全体的に非開口の領域から構成されると考えられ得る。ウェブ１７０は、第１表面１７０Ａ及び第２表面１７０Ｂを有する。ウェブが機械方向でロール（例えば、図３Ａに示されるもの）間のニップＮに供給されると、ウェブは、（ｉ）第１ロール１０２の歯１３０により開口されて複数の離間した開口部１７２が形成され、（ｉｉ）第１ロール１０２の隆起部１２０により伸張されて開口部１７２が機械横方向で伸張される。図９Ａのウェブの平面図に示されるように、結果として、開口部１７２と、開口部１７２を取り囲むランド１７４と、を含む、開口ウェブ１７０になる。開口部１７２は、ウェブ１６０の平面から一方向（図９Ａで見ると下方）に押し出されてもよく、したがって開口部１７２は高さＨａを有してもよい。開口部１７２は、ＭＤ及びＣＤの列で整列される。図９Ｂは、単一の開口部１７２の拡大平面図を示す。開口部１７２は、機械方向での長さＬａと、機械横方向での幅Ｗａと、を有する。開口部は、好ましくは１〜４、又は１．２５〜３、又は１．５〜２．５、又は１．６〜２．３の、長さを幅で割った縦横比ＡＲを有するであろう。開口部１７２は、個々の開口面積Ａａと、開口面積を取り囲む外辺部Ｐａと、を更に含む。開口ウェブは、総ウェブ面積の５％〜２５％、又は９％〜２１％、又は１０％〜１６％、又は１４％〜２０％の総開口面積を含む。開口フィルムは、１．５Ｎ〜５Ｎ、２Ｎ〜４Ｎ、２．５Ｎ〜４Ｎ、２．５Ｎ〜３．５Ｎ、又は２．７Ｎ〜３．９Ｎの範囲の機械横方向での引裂き強度（又は引張り強度）（２５．４ｍｍあたり）を備える。開口不織布は、２Ｎ〜２０Ｎ、又はそれ以上の範囲の機械横方向での引張り強度（２５．４ｍｍあたり）を備える。一実施形態では、ウェブは、機械方向の配向及び機械横方向の配向を有し、開口部は、機械方向での長さ及び機械横方向での幅を有し、複数の開口部は、長さを幅で割った縦横比が１〜４である。
【００６５】
いくつかの実施形態では、上記の伸張工程は、開口部のＣＤ幅を増すだけでなく、開口部が溝に位置する、交互の隆起部及び溝も作製する。２つのロール上の隆起部と接触するウェブの部分は、隆起部の頂部で摩擦係止して伸張されないが、隆起部間のウェブは平面から伸張される。平面から伸張されるウェブの部分は、ｚ方向での配向がより大きくなる。その結果、開口部が溝に位置する、隆起部及び溝を有するウェブが形成され得る。ウェブを裏返した場合、溝は隆起部になり、隆起部は溝になって、開口部は今度は隆起部に位置するであろうことに留意されたい。隆起部の頂部での繊維及び溝の底部での繊維は、側壁での繊維よりＸ−Ｙ平面での配向がより大きくなり得る。
【００６６】
フィルムの場合、伸張領域では、ウェブが薄くなって坪量が減るのに対し、ロールの隆起部で摩擦係止されるウェブの領域では、ウェブ厚さ及び坪量が維持される。これにより、厚さが大きい領域と小さい領域とが交互にあり、坪量が大きい領域と小さい領域とが交互にある、ウェブが生じ、厚さが大きく坪量が大きい領域は隆起部の頂部及び溝の底部に位置し、厚さが小さく坪量が小さい領域は中間の側壁に位置する。図１１は、２５ｇｓｍのＰＥフィルムウェブ２１０の平面図である（フィルムは、高坪量領域２１２及び低坪量領域２１４を示すために伸張／平坦化されている）。ウェブ２１０は、隆起部Ｒ、溝Ｇ、及び側壁Ｓを更に示す。開口部２１６は、溝Ｇに存在する。明らかなように、高坪量領域２１２は隆起部Ｒ及び溝Ｇに位置し、それに対して低坪量領域２１４は側壁Ｓに位置する。
【００６７】
不織布の場合も、伸張領域で坪量が減少し、同様に坪量が大きい領域と小さい領域とが交互にあるウェブを生じ、坪量が大きい領域は隆起部の頂部及び溝の底部に位置し、坪量が小さい領域は中間の側壁に位置する。図１２は、６０ｇｓｍのポリプロピレン不織布ウェブ２２０の平面図である（不織布は、高坪量領域２２２及び低坪量領域２２４を示すために伸張／平坦化されている）。ウェブ２２０は、隆起部Ｒ、溝Ｇ、及び側壁Ｓを更に示す。開口部２２６は、溝Ｇに存在する。熱接着点又は融着点２２８は、ウェブ２２０上の様々な位置に存在してもよい。明らかなように、高坪量領域２２２は隆起部Ｒ及び溝Ｇに位置し、それに対して低坪量領域２２４は側壁Ｓに位置する。不織布の場合、繊維がほどけて互いから離れる方向に移動し得るため、ウェブ厚さは伸張領域で減少しないことがある。ただし、一部の個々の繊維の厚さは、伸張の結果として減少することがある。坪量の特徴を示すために使用されるウェブの「領域」は、開口部自体を除外することに留意されたい。
【００６８】
伸張の結果として、ウェブは伸張方向に永久的に伸長する。ウェブがその波形状態に留まる場合、増加したウェブ幅の大部分は、ウェブに形成された隆起部及び溝に取り込まれている。あるいは、張力を加えてウェブを広げてもよく、結果として隆起部及び溝の高さ及び頻度が減少し、ウェブの全体的な坪量が減少するであろう。必要に応じて、隆起部及び溝がもはや存在しないようにウェブを広げてもよく、ウェブはその平坦な状態に戻る。この変形プロセスにより、ウェブをＣＤで１０％、１５％、２０％、２５％、又はそれ以上に伸張又は伸長させることができる。永久的な伸張量と隆起部及び溝の形成の度合は、工具の形状、プロセス条件、及び材料の性質によって決まる。典型的には、このプロセスは、フィルム材料より更に不織布ウェブ材料を永久的に伸張又は伸長するであろう。例えば、ウェブはＣＤで１６５ｍｍ〜１９０ｍｍ伸長することができる。好適には、ウェブは、最初のウェブ坪量の領域と、最初のウェブ坪量より低い坪量を有する低坪量領域とを有する。
【００６９】
図１３は、図１２に示されるウェブ２２０の断面図であり、隆起部Ｒ、溝Ｇ、及びウェブの断面を通って水平に引かれた軸Ｘを示し、Ｘ軸より上で隆起部の頂部より下の領域は、中空である、つまり中空領域ＨＡを含む。同様に、Ｘ軸より下で溝の底部より上の領域は、中空である、つまり中空領域ＨＡを含む。好適には、隆起部の頂部でのウェブ厚さ及び溝の底部でのウェブ厚さは同様である。隆起部の頂部でのウェブ厚さ及び溝の底部でのウェブ厚さは、側壁でのウェブ厚さと同様であってもよい。同様とは、厚さが互いの約６０％以内であることを意味する。あるいは、隆起部の頂部でのウェブ厚さ及び溝の底部でのウェブ厚さは、側壁でのウェブ厚さより大きい。図１４は、別の不織布ウェブ２３０の側面斜視図であり、隆起部２３２、溝２３４、及び側壁２３６を有する。図１５は、２８ｇｓｍのポリエチレン／ポリプロピレン複合（bico）不織布ウェブ２４０の上面斜視図であり、隆起部２４２、溝２４４、及び開口部２４６を含み、開口部幅Ｗａは隆起部幅Ｗｒより大きい。図１６は、フィルムウェブ２５０の断面図であり、隆起部２５２の頂部又は溝２５４の底部より側壁２５６での壁厚減少が大きいことを示す。
【００７０】
本明細書の目的とするプロセスは、材料をより穏やかに変形させるために、又はより大きな永久的変形量を付与するために、複数の変形工程を使用することもできる。このような複数の変形工程は、米国特許出願第１３／０９４，１９５号（Ｌａｋｅら）に記載される任意の好適な装置により実施されてもよい。好適には、少なくとも第１ロール又は第２ロールが、１つ以上の追加ロールともニップを形成し、それによってウェブを更に伸張又は変形させる。図１０に示されるような一配列２００では、リングロール２０２は、凸状隆起ロール２０４と噛み合わされ、次に凸状隆起ロール２０４は、ロールが遊星又は衛星構成になるように別のリングロール２０６と噛み合わされる。複数の変形工程を用いるプロセスは、入れ子式構成での比較的少数のロールを有する入れ子式装置、又は所望の変形を実施するために任意の好適な数のロールを有する、ハイブリッド、閉ループ、及び共通バンクのような装置で実施されてもよい。
【００７１】
開口ウェブ材料の多くの別の実施形態、及びこれを作製するプロセスが可能である。例えば、その表面にわたって異なる特徴を備えた異なる領域（変形領域及び／又は非変形領域等）を有するウェブ材料を供給してもよい。領域は、隆起部高さ、隆起部間隔、開口部寸法、繊維直径、フィルム厚さ、又はこれらの組み合わせからなる群から選択される、少なくとも１つの特徴によることがある。一実施形態では、開口部の領域を有する、場合によっては隆起部及び溝の領域を有する、開口ウェブ材料を供給してもよい。本明細書に開示されるウェブは、異なる寸法の開口部、並びに／又は異なる寸法及び頻度の隆起部及び溝を有する領域を含み得る。ウェブは、１つ以上の層を含むことができる。他の実施形態では、フィルムは、伸張領域及び非伸張領域を含むマイクロテクスチャ加工フィルムであり、伸張領域は、非伸張領域とは異なるマイクロテクスチャ特性を有し、マイクロテクスチャ特性は、開口面積、寸法、配向、及びこれらの組み合わせからなる群から選択される。本明細書に記載のプロセス及び装置により製造されるウェブは、変形領域にわたって不連続的に走る隆起部、又は変形領域にわたって連続的に走る隆起部を含んでもよい。このような開口ウェブ材料を作製するために、使用されるリングロールは、隆起部及び溝の領域を含み得る。あるいは、リングロールは、隆起部の高さが異なる領域を有してもよく、それにより、異なる係合深さ（ＤＯＥ）と、異なる凸状隆起部下の深さと、を生じ、したがって異なる幅及び開口面積を有する開口部を生じる。あるいは、又は更に、凸状隆起ロールは異なる領域を含んでもよく、異なる領域では隆起部の高さが異なる。
【実施例】
【００７２】
（実施例１）
図１７に示されるウェブ３００（ミクロ開口部３１２及びマクロ開口部３１４を含む）のような高分子フィルムに開口部を作製するための非限定的な一実施例では、３．８ｍｍの係合深さで１．５ｍｍピッチのリングロールと係合する１．５ｍｍピッチの凸状隆起ＲＫＡロールを備えた装置を使用することができる。凸状隆起ＲＫＡロールは、長手方向がＭＤになるように配向された歯を有する。歯は、図５Ａに示されるような千鳥状パターンに配置される。歯は、基部から先端部のとがった先にかけて先細になる６つの側面を備えた角錐形状を有し、４．７ｍｍの高さｈｔを有する。歯は、夾角（図５Ｂのα）が６２°、歯の長側面での側壁角（図５Ｃのβ）が約６°、端面夾角（図５Ｅのγ）が９０°である。ＲＫＡロール上の歯間にわたる隆起部は、アールが形成されておらず、平面を形成する。歯は、図６Ｂに示されるように隆起部で半切頭型に仕上げられている。隆起部及び溝は、リングロールの周囲で円周方向に延在する。
【００７３】
ロール上には２つの異なる歯の区分があり、これらは凸状隆起部の利益を実証するために提示されており、それぞれ「区分Ａ」及び「区分Ｂ」と称される。区分Ａは、ＭＤの歯の先端部間隔ＳＭＤが４．９ｍｍ、クロスカット深さ（図６Ａのｄｃｃ）が３．６ｍｍ、得られる隆起部高さ（図６ＡのｈＲ）が１．１ｍｍである。区分Ｂは、ＭＤの歯の先端部間隔ＳＭＤが３．７ｍｍ、クロスカット深さｄｃｃが２．７ｍｍ、得られる隆起部高さｈｒが２．０ｍｍである。
【００７４】
相手リングロールは１．５ｍｍピッチであり、高さが４．８ｍｍ、先端部半径が０．１２ｍｍ、側壁角が約４°である。ロールは共に約２０５ｍｍの直径を有し、８０℃に加熱される。ＲＫＡロール及びリングロールは、歯のいずれかの側面上の隙間がほぼ等しいようにＣＤに整列される。
【００７５】
前駆体ウェブは、ＲＫＷ−Ｇｒｏｕｐ（Ｇｅｒｍａｎｙ）から得られる、ＬＬＤＰＥ及びＬＤＰＥのブレンドを有する、２６ｇ／ｍ２の坪量のミクロ開口高分子フィルムである。ＬＬＤＰＥは、約６０％のフィルム組成物と、約３０％のＬＤＰＥと、残り１０％のＴｉＯ２等の不活性成分及び充填剤並びにそれらの担体樹脂を含む。ミクロ開口部は、２１．７メッシュ（直交方向で１センチメートルあたりの開口部（５５メッシュ（直交方向で１インチあたりの開口部）））であり、約４６２マイクロメートルの中心間隔を有する正三角形パターンに配置される。開口部の直径は１７５〜２００マイクロメートルであり、先細錐体の高さは約１２０マイクロメートルである。
【００７６】
前駆体ウェブは、４８０メートル／分の線ウェブ速度で係合ロール間を通過する前に、リングロール上に予め巻き付けられる。フィルムのミクロ開口錐体側は、ＲＫＡロールに面して配置される。３．８ｍｍの係合深さを用いる。得られたフィルムを図１８Ａ及び１８Ｂに低倍率で示す。前記フィルムの開口面積（開放開口部を有するフィルム面積の％）、開口部長さ、及び開口部幅は、視覚システム（例えば、Ｃｏｇｎｅｘ  Ｃｏｒｐｏｒａｔｉｏｎ（Ｎａｔｉｋ，Ｍａｓｓａｃｈｕｓｅｔｔｓ）から商標名ＩＮ−ＳＩＧＨＴとして購入可能なもの）を使用して測定される。区分Ａ（図１８Ａ）対区分Ｂ（図１８Ｂ）の開口部の開口面積、長さ、及び幅の比較を以下の表に示す。図１８Ａ及び１８Ｂは、ミクロ開口部３２２、３４２及び開口部３２４、３４４を有するフィルムウェブ３２０、３４０を示す。
【００７７】
【表１】
0005956062.tif 000002
【００７８】
（実施例２）
溝に開口部を有する波形ウェブを作製するための非限定的な一実施例では、６．３ｍｍの係合深さで２．０ｍｍピッチのリングロールと係合する２．０ｍｍピッチの凸状隆起ＲＫＡロールを備えた装置を使用することができる。凸状隆起ＲＫＡロールは、長手方向がＭＤになるように配向された歯を有し、隆起部及び溝は、リングロールの周囲で円周方向に延在する。歯は、図５Ａに示されるような千鳥状パターンに配置される。歯は、基部から先端部のとがった先にかけて先細になる４つの側面を備えた角錐形状を有し、６．９ｍｍの高さｈｔを有する。歯は、夾角（図５Ｂのα）が５７°、歯の長側面での側壁角（図５Ｃのβ）が約５°である。ＲＫＡロール上の歯間にわたる隆起部は、丸められておらず、平面を形成する。歯は、図６Ｃに示されるように隆起部で非切頭型に仕上げられている。歯は、ＭＤの歯の先端部間隔ＳＭＤが８．０ｍｍ、クロスカット深さ（図６Ａのｄｃｃ）が３．７ｍｍ、得られる隆起部高さ（図６ＡのｈＲ）が３．２ｍｍである。
【００７９】
相手リングロールは２．０ｍｍピッチであり、高さが６．９ｍｍ、先端部半径が０．１２ｍｍ、側壁角が約４°である。ロールは共に約１４２ｍｍの直径を有する。ＲＫＡロール及びリングロールは、歯のいずれかの側面上の隙間がほぼ等しいようにＣＤに整列される。
【００８０】
第１前駆体ウェブは、Ｃｌｏｐａｙ  Ｐｌａｓｔｉｃｓ  Ｃｏ．（Ｏｈｉｏ）から得られる、ＬＬＤＰＥとＬＤＰＥとのブレンドの２５ｇ／ｍ２の坪量の高分子フィルムである。前駆体ウェブは、２０メートル／分の線ウェブ速度で係合ロール間を通過する前に、リングロール上に予め巻き付けられる。得られた波形開口フィルムを図１１に示す（フィルムは、高及び低坪量領域を示すために伸張／平坦化されている）。画像は、赤色ＬＥＤ背面照明を使用し、光学顕微鏡（例えば、Ａｌｌａｓｓｏ  Ｉｎｄｕｓｔｒｉｅｓから購入可能なもの）を使用して低倍率で撮影された。
【００８１】
第２前駆体ウェブは、Ｆｉｂｅｒｗｅｂ（Ｆｒａｎｃｅ）から得られる、６０ｇ／ｍ２の坪量の熱接着ポリプロピレン不織布である。前駆体ウェブは、２０メートル／分の線ウェブ速度で係合ロール間を通過する前に、リングロール上に予め巻き付けられる。得られた波形開口不織布を、図１２（平面図、ウェブは、高及び低坪量領域を示すために伸張／平坦化されている）、図１３（断面図）、図１９Ａ（凸状隆起ＲＫＡ側）、及び図１９Ｂ（リングロール側）に示す。画像は、光学顕微鏡（例えば、Ａｌｌａｓｓｏ  Ｉｎｄｕｓｔｒｉｅｓから購入可能なもの）を使用して低倍率で撮影された。図１９Ａ及び１９Ｂのウェブ４００は、交互の隆起部４０２及び溝４０４を含み、開口部４０６は溝４０４に存在する。
【００８２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味するものとする。更に、本明細書に挙げられる数値範囲は、それぞれ別個の数値に加えて、範囲内の任意の他のより狭い範囲を含む。本明細書の全体を通じて与えられるすべての最大の数値限定は、それよりも小さい数値限定を、そうしたより小さい数値限定があたかも本明細書に明確に記載されているものと同様にして包含するものと理解すべきである。本明細書全体を通して記載されるすべての最小数値限定は、このようなより高い数値限定が本明細書に明示的に記載されているかのように、すべてのより高い数値限定を含む。本明細書全体を通して記載されるすべての数値範囲は、このようなより狭い数値範囲が本明細書に明示的に記載されているかのように、このようなより広い数値範囲内のすべてのより狭い数値範囲を含む。
【００８３】
本発明の「発明を実施するための最良の形態」で引用したすべての文献は、関連部分において本明細書に援用するが、いずれの文献の引用もそうした文献が本発明に対する先行技術であることを容認するものとして解釈されるべきではない。この文書における用語のいずれかの意味又は定義が、参照することにより組み込まれる文献における用語のいずれかの意味又は定義と矛盾する範囲については、本文書においてその用語に与えられた意味又は定義が適用されるものとする。
【００８４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の「特許請求の範囲」で扱うものとする。
【図１】
0005956062.tif 000003
【図２Ａ】
0005956062.tif 000004
【図２Ｂ】
0005956062.tif 000005
【図２Ｃ】
0005956062.tif 000006
【図２Ｄ】
0005956062.tif 000007
【図３Ａ】
0005956062.tif 000008
【図３Ｂ】
0005956062.tif 000009
【図４Ａ】
0005956062.tif 000010
【図４Ｂ】
0005956062.tif 000011
【図４Ｃ】
0005956062.tif 000012
【図５Ａ】
0005956062.tif 000013
【図５Ｂ】
0005956062.tif 000014
【図５Ｃ】
0005956062.tif 000015
【図５Ｄ】
0005956062.tif 000016
【図５Ｅ】
0005956062.tif 000017
【図５Ｆ】
0005956062.tif 000018
【図６Ａ】
0005956062.tif 000019
【図６Ｂ】
0005956062.tif 000020
【図６Ｃ】
0005956062.tif 000021
【図７】
0005956062.tif 000022
【図８】
0005956062.tif 000023
【図９Ａ】
0005956062.tif 000024
【図９Ｂ】
0005956062.tif 000025
【図１０】
0005956062.tif 000026
【図１１】
0005956062.tif 000027
【図１２】
0005956062.tif 000028
【図１３】
0005956062.tif 000029
【図１４】
0005956062.tif 000030
【図１５】
0005956062.tif 000031
【図１６】
0005956062.tif 000032
【図１７】
0005956062.tif 000033
【図１８Ａ】
0005956062.tif 000034
【図１８Ｂ】
0005956062.tif 000035
【図１９Ａ】
0005956062.tif 000036
【図１９Ｂ】
0005956062.tif 000037